(57)【要約】      （修正有）【課題】誤記入の可能性を少なくした様式を備えた履歴書を提供する。【解決手段】Ａ３又はＡ４サイズの四角形の紙片からなり、その表面に印刷された氏名や住所の記入欄、並びに年度・資格、作成期日、生年月日の記入欄を備え、且つ写真貼付用スペースが設けて履歴書用紙をなす。さらに、学歴欄、職歴欄がそれぞれ印刷された専用欄を備え、氏名、住所及び生年月日の記入欄は四角形の紙片中央部分左上部分に、作成期日の記入欄は氏名記入欄の上の部分、写真貼付用スペースは氏名及び作成期日の右隣部分に、免許・資格の記入欄は四角形の紙片の中央部分から右側中央部分に、学歴欄は住所記入欄の下の部分に、職歴欄は学歴欄の下から左端まで及び右側部分に設ける。また、学歴欄ごとに入学年度と卒業・中退年度の記入欄が設けられ、職歴欄ごとに入社年度と退社年度の記入欄が設けて履歴書用紙とする。【選択図】図１
0003167582.tif 000002
【実用新案登録請求の範囲】
【請求項１】
氏名や住所の記入欄、並びに年度、免許・資格、作成期日、生年月日の記入欄を備え、且つ写真貼付用スペースが設けられている履歴書に於いて、学歴欄、職歴欄がそれぞれの専用欄として備えられていることを特徴とする履歴書。
【請求項２】
学歴欄および職歴欄のそれぞれの専用欄が、共通する事項の記入欄と共通しない事項の記入欄に分割されている請求項1に記載の履歴書。
【請求項３】
職歴の欄の右端に雇用形態欄を設け、該当する雇用形態欄を選択できるように雇用形態が予め記載されている請求項1または2に記載の履歴書。
【請求項４】
年度記入欄の左上に該当する年号が選択できるように年号が予め記載されている請求項1から3のいずれかに記載の履歴書。
【請求項５】
学歴記入欄の右端には学歴経歴欄を設け、該当する学歴経歴を選択できるように学歴経歴が予め記載されている請求項1から4のいずれかに記載の履歴書。
【請求項６】
免許・資格記入欄の右端には免許・資格取得状況欄を設け、該当する免許、資格が選択できるように免許、資格が予め記載されている記載した請求項１から5のいずれかに記載の履歴書。
【請求項７】
作成期日記入欄の左側には平成が予め記載され、生年月日欄の左端には該当する年号を選択できるように予め記載されている請求項1から6のいずれかに記載の履歴書。
【考案の詳細な説明】
【技術分野】
【０００１】
この考案は、履歴書を書く人の負担、見る人による見易さ、情報量の明確さに関する物である。
【背景技術】
【０００２】
従来行数が多く入学・卒業（中退）と入社と退社書く時に２行書かなければならなかった。書く人の負担が多く間違いがあった場合、また新しく書かなければいけない。あと今の時代雇用形態がかわってきて期間社員が多くなっている。書類選考が多くなっているので雇用形態がわからなく情報量の不足になって、お互いのデメリットが多くなっている。それを簡素化することにより書く側の負担、見る側による情報量がわかりやすくなり、デメリットの部分を減らし、メリットを増やす目的であり、エコにもつながる。
【考案の概要】
【考案が解決しようとする課題】
【０００３】
これは次のような欠点があった。
（イ）  １つの入学（入社）・卒業（退社）に２行書かなければいけなく誤字・失敗率が多く記入者側に負担が多くあること。
（ロ）  今の時代書類先行が多くなり見る側にも見やすくすること、情報量が多く必要になったこと。
（ハ）  派遣社員・期間社員が多い時代なので雇用形態が必要であること。
（ニ）  年号が何回も書くのでバランス取りにくさ・間違いが多いこと。
（ホ）  行数が多く学歴欄・就職欄の区別がなく記入者が決めなければならないこと。
本考案は、これらの欠点を除くためになされたものである。
【課題を解決するための手段】
【０００４】
学歴専用欄１を設け、年度記入欄符号２設け、１行でまとめられる欄３、学歴経歴欄４設ける。職歴専用欄５設け、年度記入欄符号６設け、１行でまとめられる欄７設け、雇用形態欄８を設ける。免許・資格記入欄に年度記入欄符号９設け、免許・資格状況欄１０を設ける。
本考案は、以上のような構成による履歴書である。
【考案の効果】
【０００５】
２行書く所が１行になることにより、手に掛かる負担が軽減となり失敗を減らせる効果がある。時間短縮となり集中力が持続でき誤字が減った。
失敗が少なくなることにより、経費削減となり、履歴書を捨てずにすむのでエコにつながり、環境汚染（木の伐採）が減る。見る側にとっても２行が１行になることによりみやすくなり、見落としが無くなる。雇用形態欄を設けることにより、書類選考がしやすくなり審査の方でも平等かつ公平にできることだった。
【図面の簡単な説明】
【０００６】
【図１】本考案の履歴書である。
【図２】旧型の履歴書である。
【符号の説明】
【０００７】
１.  学歴専用欄
２.  学歴専用年度符号記入欄
３.  学歴記入欄
４.  学歴経歴欄
５.  職歴専用欄
６.  職歴専用年度符号記入欄
７.  職歴記入欄
８.  雇用形態欄
９.  免許・資格専用年度符号記入欄
10. 免許・資格取得状況欄
11.作成欄
12.生年月日欄
【図１】
0003167582.tif 000003
【図２】
0003167582.tif 000004
【手続補正書】
【提出日】平成22年9月28日(2010.9.28)
【手続補正１】
【補正対象書類名】実用新案登録請求の範囲
【補正対象項目名】全文
【補正方法】変更
【補正の内容】
【実用新案登録請求の範囲】
【請求項１】
履歴書として市販されている四角形の紙片からなり、その表面に印刷された氏名や住所の記入欄、並びに年度、免許・資格、作成期日、生年月日の記入欄を備え、且つ写真貼付用スペースが設けられている履歴書用紙に於いて、学歴欄、職歴欄がそれぞれの印刷された専用欄として備えられていることを特徴とする履歴書用紙。
【請求項２】
学歴欄および職歴欄のそれぞれの専用欄が、共通する事項の記入欄と共通しない事項の記入欄に分割されている請求項1に記載の履歴書用紙。
【請求項３】
職歴の欄の右端に雇用形態欄を設け、該当する雇用形態欄を選択できるように雇用形態が予め記載されている請求項1または2に記載の履歴書用紙。
【請求項４】
年度記入欄の左上に該当する年号が選択できるように年号が予め記載されている請求項1から3のいずれかに記載の履歴書用紙。
【請求項５】
学歴記入欄の右端には学歴経歴欄を設け、該当する学歴経歴を選択できるように学歴経歴が予め記載されている請求項1から4のいずれかに記載の履歴書用紙。
【請求項６】
免許・資格記入欄の右端には免許・資格取得状況欄を設け、該当する免許、資格が選択できるように免許、資格が予め記載されている請求項１から5のいずれかに記載の履歴書用紙。
【請求項７】
作成期日記入欄の左側には平成が予め記載され、生年月日欄の左端には該当する年号を選択できるように予め記載されている請求項1から6のいずれかに記載の履歴書用紙。
【手続補正２】
【補正対象書類名】明細書
【補正対象項目名】０００７
【補正方法】変更
【補正の内容】
【０００７】
1学歴専用欄
2学歴専用年度符号記入欄
3学歴記入欄
4学歴経歴欄
5職歴専用欄
6職歴専用年度符号記入欄
7職歴記入欄
8雇用形態欄
9免許・資格専用年度符号記入欄
10免許・資格取得状況欄
【手続補正３】
【補正対象書類名】明細書
【補正対象項目名】０００４
【補正方法】変更
【補正の内容】
【０００４】
学歴専用欄１を設け、年度記入欄符号２設け、１行でまとめられる欄３、学歴経歴欄４設ける。職歴専用欄５設け、年度記入欄符号６設け、１行でまとめられる欄７設け、雇用形態欄８を設ける。免許・資格記入欄に年度記入欄符号９設け、免許・資格状況欄１０をもうける。
学歴記入欄の右端には学歴経歴欄を設け、該当する学歴経歴を選択できるように学歴経歴が予め記載されている。
【手続補正４】
【補正対象書類名】図面
【補正対象項目名】図１
【補正方法】変更
【補正の内容】
【図１】
0003167582.tif 000005
【手続補正書】
【提出日】平成22年12月24日(2010.12.24)
【手続補正１】
【補正対象書類名】実用新案登録請求の範囲
【補正対象項目名】全文
【補正方法】変更
【補正の内容】
【実用新案登録請求の範囲】
【請求項１】
市販されている四角形の紙片（Ａ3及びＡ4サイズ）からなり、その表面に印刷された氏名や住所の記入欄、並びに年度、免許・資格、作成期日、生年月日の記入欄を備え、且つ写真貼付用スペースが設けられている履歴書用紙に於いて、学歴欄、職歴欄がそれぞれの印刷された専用欄として備えられていることを特徴とする履歴書用紙。（氏名・住所・生年月日の記入欄は四角形の紙片中央部分左上部分。作成期日は氏名記入欄の上の部分。写真貼付用スペースは氏名及び作成期日の右隣部分。年度は各年度記入欄部分。免許・資格部分は四角形の紙片の中央部分から右側中央部分。学歴欄は住所記入欄の下の部分。職業欄は学歴欄の下から左端まで及び右側上部部分。）
【請求項２】
学歴欄および職歴欄のそれぞれの専用欄が、共通する事項の記入欄と共通しない事項の記入欄に分割されている請求項1に記載の履歴書用紙。
【請求項３】
職歴の欄の右端に雇用形態欄を設け、該当する雇用形態欄を選択できるように雇用形態が予め記載されている請求項1または2に記載の履歴書用紙。
【請求項４】
年度記入欄の左上に該当する年号が選択できるように年号が予め記載されている請求項1から3のいずれかに記載の履歴書用紙。
【請求項５】
学歴記入欄の右端には学歴経歴欄を設け、該当する学歴経歴を選択できるように学歴経歴が予め記載されている請求項1から4のいずれかに記載の履歴書用紙。
【請求項６】
免許・資格記入欄の右端には免許・資格取得状況欄を設け、該当する免許、資格が選択できるように免許、資格が予め記載されている請求項１から5のいずれかに記載の履歴書用紙。
【請求項７】
作成期日記入欄の左側には平成が予め記載され、生年月日欄の左端には該当する年号を選択できるように予め記載されている請求項1から6のいずれかに記載の履歴書用紙。
【手続補正書】
【提出日】平成23年2月24日(2011.2.24)
【手続補正１】
【補正対象書類名】実用新案登録請求の範囲
【補正対象項目名】請求項１
【補正方法】変更
【補正の内容】
【請求項１】
Ａ3又はＡ４サイズの四角形の紙片からなり、その表面に印刷された氏名や住所の記入欄、並びに年度・資格、作成期日、生年月日の記入欄を備え、且つ写真貼付用スペースが設けられている履歴書用紙に於いて、学歴欄、職歴欄がそれぞれ印刷された専用欄として備えられ、氏名、住所及び生年月日の記入欄は四角形の紙片中央部分左上部分に、作成期日の記入欄は氏名記入欄の上の部分、写真貼付用スペースは氏名及び作成期日の右隣部分に、免許・資格の記入欄は四角形の紙片の中央部分から右側中央部分に、学歴欄は住所記入欄の下の部分に、職歴欄は学歴欄の下から左端まで及び右側部分に設けられ、学歴欄ごとに入学年度と卒業・中退年度の記入欄が設けられ、職歴欄ごとに入社年度と退社年度の記入欄が設けられていることを特徴とする履歴書用紙。